(57)【要約】      （修正有）【課題】モニタ対象の安否を適切に特定できる安否確認システムおよび安否確認方法を提供する。【解決手段】安否確認システム１は、検知装置と、制御装置３０と、管理装置６０（センタサーバ）とを有する。検知装置は、照明装置１０が操作されたか否かを検知する。制御装置３０は、通信を介して、検知装置から検知結果を取得する。管理装置６０は、制御装置３０が取得した検知結果に基づいて、照明装置１０が制御された日時を示す日時情報を出力する。【選択図】図１
2017021754.tif 000002
【特許請求の範囲】
【請求項１】
照明装置が操作されたか否かを検知する検知装置と；
通信を介して、前記検知装置から検知結果を取得する制御装置と；
前記制御装置が取得した検知結果に基づいて、前記照明装置が制御された日時を示す日時情報を出力する管理装置と；
を具備することを特徴とする安否確認システム。
【請求項２】
前記検知装置は、前記照明装置に設置されていることを特徴とする請求項１に記載の安否確認システム。
【請求項３】
前記検知装置は、前記照明装置が有する交換可能な電球に設置されていることを特徴とする請求項２に記載の安否確認システム。
【請求項４】
前記検知装置は、前記照明装置に対する操作を受付ける装置に設置されていることを特徴とする請求項１に記載の安否確認システム。
【請求項５】
それぞれ異なる位置に設置された照明装置が操作されたか否かを検知する複数の前記検知装置を有することを特徴とする請求項１〜４のいずれか１つに記載の安否確認システム。
【請求項６】
前記制御装置は、前記検知装置から取得した検知結果を前記管理装置に送信し、
前記管理装置は、前記日時情報として、前記制御装置から前記検知結果を受信した日時を当該検知結果と共に出力する
ことを特徴とする請求項１〜５のいずれか１つに記載の安否確認システム。
【請求項７】
前記管理装置は、前記日時情報を含むウェブページを配信することを特徴とする請求項１〜６のいずれか１つに記載の安否確認システム。
【請求項８】
前記管理装置は、前記制御装置が取得した検知結果に基づいて、１つ以上の照明装置が設置された領域ごとに、当該領域の照明装置が操作された日時を示す日時情報を出力する
ことを特徴とする請求項１〜７のいずれか１つに記載の安否確認システム。
【請求項９】
安否確認システムが実行する安否確認方法であって、
検知装置が、照明装置が操作されたか否かを検知する検知工程と；
制御装置が、通信を介して、前記検知装置から検知結果を取得する制御工程と；
管理装置が、前記制御装置が取得した検知結果に基づいて、前記照明装置が制御された日時を示す日時情報を出力する管理工程と；
を含むことを特徴とする安否確認方法。
【発明の詳細な説明】
【技術分野】
【０００１】
本発明の実施形態は、安否確認システムおよび安否確認方法に関する。
【背景技術】
【０００２】
従来、離れて暮らす高齢者であるモニタ対象の安否を確認する安否確認システムが提案されている。このような安否確認システムの一例として、電気ポットや炊飯ジャー等の家電装置が操作されたか否かを検知し、検知結果によりモニタ対象の安否を確認する安否確認システムが知られている。
【０００３】
しかしながら、電気ポット等の家電装置を使用する頻度には、モニタ対象の嗜好に応じて個人差が存在する。また、電気ポット等の家電装置は、種別ごとに使用頻度が異なる。また、電気ポット等の家電装置は、季節によって使用頻度が変化する。このように、電気ポット等の家電装置が定常的に使用されるとは限らないので、従来技術のように、電気ポット等の家電装置に対する操作を検知しても、モニタ対象の安否を適切に確認できるとは限らない。
【先行技術文献】
【特許文献】
【０００４】
【特許文献１】特開平１０−２４８０９３号公報
【発明の概要】
【発明が解決しようとする課題】
【０００５】
本発明が解決しようとする課題は、モニタ対象の安否を適切に特定できる安否確認システムおよび安否確認方法を提供することである。
【課題を解決するための手段】
【０００６】
実施形態の一例に係る安否確認システムは、検知装置と、制御装置と、管理装置とを有する。検知装置は、照明装置が操作されたか否かを検知する。制御装置は、通信を介して、前記検知装置から検知結果を取得する。管理装置は、前記制御装置が取得した検知結果に基づいて、前記照明装置が制御された日時を示す日時情報を出力する。
【発明の効果】
【０００７】
実施形態の一例に係る安否確認システムおよび安否確認方法によれば、モニタ対象の安否を適切に特定することができる。
【図面の簡単な説明】
【０００８】
【図１】図１は、第１の実施形態に係る安否確認システムの一例を示す図である。
【図２】図２は、第１の実施形態に係る安否確認システムが有する機能構成の一例を示す図である。
【図３】図３は、第１の実施形態に係る照明装置が有する機能構成の一例について説明するブロック図である。
【図４】図４は、第１の実施形態に係る制御装置が有する機能構成の一例について説明するブロック図である。
【図５】図５は、第１の実施形態に係るセンタサーバが有する機能構成の一例について説明するブロック図である。
【図６】図６は、第１の実施形態に係る安否情報データベースに登録される情報の一例を示す図である。
【図７】図７は、第１の実施形態に係る安否確認システムにおける検出処理の一例を示すフローチャートである。
【図８】図８は、第１の実施形態に係る安否確認システムにおける配信処理の一例を示すフローチャートである。
【図９】図９は、第２の実施形態に係る照明装置が有する機能構成の一例について説明するブロック図である。
【図１０】図１０は、第３の実施形態に係るスイッチが有する機能構成の一例について説明するブロック図である。
【発明を実施するための形態】
【０００９】
以下、図面を参照して、実施形態に係る安否確認システムおよび安否確認方法を説明する。実施形態において同一の機能を有する構成には同一の符号を付し、重複する説明は省略する。なお、以下の実施形態で説明する安否確認システムおよび安否確認方法は、一例を示すに過ぎず、実施形態を限定するものではない。例えば、以下の実施形態は、照明装置の制御を行うＨＥＭＳ（Home  Energy  Management  System）等の照明制御システムが、安否確認システムとして動作する例について説明するが、安否確認システムは、照明制御システムと同一のシステムであってもよく、異なるシステムであってもよい。なお、以下の各実施形態は、矛盾しない範囲内で適宜組みあわせてもよい。
【００１０】
以下の実施形態に係る安否確認システム１は、照明装置１０が操作されたか否かを検知する検知装置（例えば、点灯検知部１６、操作検知部２３）と、通信を介して、検知装置から検知結果を取得する制御装置３０と、制御装置３０が取得した検知結果に基づいて、照明装置１０が制御された日時を示す日時情報を出力する管理装置（例えば、センタサーバ６０）とを有する。
【００１１】
また、以下の実施形態に係る安否確認システム１は、照明装置１０に点灯検知部１６が設置されている。
【００１２】
また、以下の実施形態に係る安否確認システム１は、照明装置１０が有する交換可能な電球に点灯検知部１６が設置されている。
【００１３】
また、以下の実施形態に係る安否確認システム１は、照明装置１０に対する操作を受付ける装置に操作検知部２３が設置されている。
【００１４】
また、以下の実施形態に係る安否確認システム１は、それぞれ異なる位置に設置された照明装置１０が操作されたか否かを検知する複数の検知装置を有する。
【００１５】
また、以下の実施形態に係る安否確認システム１は、検知装置から取得した検知結果を制御装置３０が管理装置に送信し、日時情報として、制御装置３０から検知結果を受信した管理装置が、日時を検知結果と共に記憶する。
【００１６】
また、以下の実施形態に係る安否確認システム１は、管理装置が、日時情報を配置したウェブページを配信する。
【００１７】
また、以下の実施形態に係る安否確認システム１は、制御装置３０が取得した検知結果に基づいて、１つ以上の照明装置が配置された領域ごとに、照明装置が制御された日時を示す日時情報を出力する。
【００１８】
また、以下の実施形態に係る安否確認方法は、安否確認システム１が実行する安否確認方法であって、検知装置が、照明装置１０が操作されたか否かを検知し、制御装置３０が、通信を介して、検知装置から検知結果を取得し、管理装置が、制御装置３０が取得した検知結果に基づいて、照明装置１０が制御された日時を示す日時情報を出力する。
【００１９】
［第１の実施形態］
（第１の実施形態に係る安否確認システムの一例）
図１は、第１の実施形態に係る安否確認システムの一例を示す図である。第１の実施形態に係る安否確認システム１は、照明装置１０、スイッチ２０、制御装置３０、リモートコントローラ４０（以下、リモコンと記載する。）、センタサーバ６０、および端末装置７０を有する。なお、安否確認システム１に含まれる照明装置１０およびスイッチ２０の種別や数等は、任意に設定できる。
【００２０】
また、照明装置１０、スイッチ２０、および制御装置３０は、無線ＬＡＮ（Local  Area  Network）等の無線通信機能を有し、相互に通信可能である。また、制御装置３０、センタサーバ６０、および端末装置７０は、インターネット等のネットワークＮと有線または無線を介して、通信可能に接続される。
【００２１】
照明装置１０は、例えば、ブラケット、ダウンライト、スポットライト、シーリングライト、足下灯、ペンダントライト等、宅内の任意の位置を照明する照明装置である。例えば、照明装置１０は、ＬＥＤ（Light  Emitting  Diode）電球や白熱灯等の電球を有する。また、照明装置１０は、スイッチ２０やリモコン４０から、無線通信や赤外線通信を介して、照明を制御するための制御信号を受信すると、受信した制御信号に従って、電球の点灯（以下、「ＯＮ」と記載する場合がある。）や消灯（以下、「ＯＦＦ」と記載する場合がある。）等の制御を行う。なお、照明装置１０は、照明のＯＮ／ＯＦＦだけではなく、例えば、照明する色彩の変更や照度の変更等を実現してもよい。
【００２２】
スイッチ２０は、照明装置１０に対する操作を受付ける装置であり、例えば、宅内の壁などに固定される照明装置１０のスイッチである。また、スイッチ２０は、無線ＬＡＮ等の無線通信機能を有し、利用者がスイッチを操作した場合は、無線通信を介して、電球が点灯もしくは消灯された旨の検知結果が制御装置３０に送信される。
【００２３】
制御装置３０は、照明装置１０の制御を行う制御装置であり、ＨＥＭＳ等の照明制御システムのコントローラである。例えば、制御装置３０は、無線ＬＡＮ等の無線通信を介して、照明装置１０と接続されている。また、制御装置３０は、図示を省略したゲートウェイ装置を介して、インターネット等のネットワークＮと接続されている。
【００２４】
また、制御装置３０は、照明装置１０を遠方から操作する遠隔操作の機能を実現する。例えば、利用者が使用する端末装置７０等が照明装置１０の遠隔制御を行うと、制御装置３０は、ネットワークＮを介して、センタサーバ６０や端末装置７０から制御信号を受信する。そして、制御装置３０は、センタサーバ６０や端末装置７０から制御信号を受信すると、無線通信を介して、照明装置１０の制御を行う。
【００２５】
リモコン４０は、照明装置１０に対する操作を受付ける装置であり、照明装置１０を点灯若しくは消灯させる操作を受付けるリモートコントローラである。例えば、リモコン４０は、照明装置１０を点灯させる操作を受付けると、赤外線通信や無線ＬＡＮ等の無線通信を介して、照明装置１０を点灯させる制御信号を照明装置１０に出力する。
【００２６】
センタサーバ６０は、照明制御システムの各種管理を行う管理装置であり、サーバ等により実現される。例えば、センタサーバ６０は、端末装置７０から照明装置１０を遠隔で点灯させるための制御信号を受信した場合は、かかる制御信号を制御装置３０に送信する。この結果、制御装置３０は、制御信号に従って照明装置１０を制御することで、照明装置１０の遠隔操作を実現する。
【００２７】
（第１の実施形態に係る安否確認システムが実行する安否確認処理）
ここで、安否確認システム１は、以下の安否確認処理を実行する。例えば、スイッチ２０は、照明装置１０を点灯させるよう利用者から操作された場合は、無線通信を介して、照明をＯＮさせるための制御信号を照明装置１０に送信し（ステップＳ１）、照明装置１０を点灯させる。
【００２８】
ここで、照明装置１０には、検知装置として、電球の点灯若しくは消灯を検知する点灯検知部１６が設置されている。より具体的には、照明装置１０に設置された電球に、点灯検知部１６が設置されている。このような点灯検知部１６は、電球が点灯若しくは消灯された旨を検知すると、無線通信を介して、電球が点灯若しくは消灯された旨の検知結果を制御装置３０に送信する（ステップＳ２）。例えば、点灯検知部１６は、照明装置１０がＯＮとなったか、ＯＦＦとなったかを示す検知結果を送信する。すると、制御装置３０は、ネットワークＮを介して、受信した検知結果をセンタサーバ６０へと送信する（ステップＳ３）。
【００２９】
また、リモコン４０は、利用者からの操作に応じて、照明を点灯または消灯させるための制御信号を照明装置１０に送信し（ステップＳ４）、照明装置１０を制御する。このような場合も、点灯検知部１６は、無線通信を介して、電球が点灯若しくは消灯された旨の検知結果を制御装置３０に送信する（ステップＳ５）。そして、制御装置３０は、ネットワークＮを介して、受信した検知結果をセンタサーバ６０へと送信する（ステップＳ６）。
【００３０】
一方、センタサーバ６０は、検知結果を受信すると、制御が行われた日時を示す日時情報を生成し、生成した日時情報と受信した検知結果とを対応付けた情報、すなわち、利用者の安否を示す安否情報を生成する（ステップＳ７）。そして、センタサーバ６０は、端末装置７０から安否情報の取得要求を受付けると、生成した安否情報を配信する（ステップＳ８）。この結果、端末装置７０は、センタサーバ６０から受信した安否情報を表示する（ステップＳ９）。例えば、端末装置７０は、制御が行われた日時、制御対象となる照明装置１０の名称や設置位置、照明装置１０の制御内容等を関連付けた安否確認情報を表示する。
【００３１】
このように、安否確認システム１は、照明装置１０が操作されたか否かを検知する点灯検知部１６を有する。また、安否確認システム１は、無線通信を介して、点灯検知部１６から検知結果を取得する制御装置３０を有する。また、安否確認システム１は、制御装置３０が取得した検知結果に基づいて、照明装置１０が制御された日時を示す日時情報を出力するセンタサーバ６０とを有する。
【００３２】
このため、安否確認システム１は、安否を確認する対象であるモニタ対象の安否を適切に特定できる。すなわち、照明装置１０の制御は、生活する上で必然的に行われる制御であるため、電気ポットや炊飯ジャー等の家電装置と比較して、モニタ対象の嗜好や季節等にあまり左右されない。このため、照明装置１０に対する操作を検知した場合には、モニタ対象が定常的に行う操作を検出することができるため、モニタ対象の安否をより適切に確認することができる。また、安否確認システム１は、照明装置１０の制御を検知するので、モニタ対象が新たな機器の操作を学習せずとも、モニタ対象の安否を確認することができる。
【００３３】
また、照明装置１０は、無線通信を介して、検知結果を制御装置３０に送信する。このため、安否確認システム１は、設置コスト等を軽減することができる。例えば、安否確認システム１は、宅内に新たなネットワークを構築せずとも、検知装置を設置した照明装置１０を設置するだけでよい。特に、照明装置１０が有する電球に、検知装置としての点灯検知部１６を設置した場合、照明装置１０の交換等を行わずとも、電球の交換を行うだけで、上述した安否確認処理を実現することができる。
【００３４】
（第１の実施形態に係る各装置が有する機能構成）
以下、図を用いて、安否確認システム１が有する各装置の機能構成の一例について説明する。なお、第１の実施形態では、照明装置１０が有する電球に点灯検知部１６が設置された際の機能構成の一例について説明する。図２は、第１の実施形態に係る安否確認システムが有する機能構成の一例を示す図である。図２に示す例では、安否確認システム１は、宅内ネットワーク２、センタサーバ６０、端末装置７０がネットワークＮを介して接続された構成を有する。
【００３５】
宅内ネットワーク２には、複数の照明装置１０ａ〜１０ｃ、複数のスイッチ２０ａ、２０ｂ、制御装置３０、ゲートウェイ装置５０を有する。各照明装置１０ａ〜１０ｃは、それぞれ異なる位置に設置された照明装置１０であり、照明装置１０と同様に、それぞれが点灯検知部１６と同様の検知装置を有し、自装置に対する制御内容を示す検知結果を制御装置３０に送信する。また、各スイッチ２０ａ、２０ｂは、それぞれ異なる位置に設置された各照明装置１０ａ〜１０ｃに対する操作を受付けるスイッチである。
【００３６】
このように、複数の照明装置１０ａ〜１０ｃが設置されている場合、制御装置３０は、各照明装置１０ａ〜１０ｃに設置された電球から受信した検知結果を、それぞれ個別にセンタサーバ６０へと送信する。なお、図２に示す例では、複数の照明装置１０ａ〜１０ｃおよび複数のスイッチ２０ａ、２０ｂを図示したが、宅内ネットワーク２には、他にも任意の数の照明装置１０やスイッチ２０が設置されていてもよい。また、宅内ネットワーク２に設置された全ての照明装置１０ａ〜１０ｃが検知装置を有する必要はない。
【００３７】
また、以下の説明では、各照明装置１０ａ〜１０ｃは、同様の機能を発揮するものとし、照明装置１０と総称する。また、以下の説明では、各スイッチ２０ａ、２０ｂは、同様の機能を発揮するものとし、スイッチ２０と総称する。
【００３８】
以下、図を用いて、照明装置１０、制御装置３０、およびセンタサーバ６０の機能構成の一例について説明する。なお、ゲートウェイ装置５０は、宅内ネットワーク２とネットワークＮとの間のゲートウェイ機能を発揮するゲートウェイ装置であるものとする。
【００３９】
まず、照明装置１０が有する機能構成の一例について説明する。図３は、第１の実施形態に係る照明装置が有する機能構成の一例について説明するブロック図である。図３に示す例では、照明装置１０は、本体部１１および電球１２を有する。
【００４０】
本体部１１は、照明装置１０の筐体内に設置された各種の回路であり、図３に示す例では、給電部１３を有する。給電部１３は、電球１２に対して電力の供給を行う回路であり、例えば、整流回路や変圧回路等により実現される。
【００４１】
電球１２は、ＬＥＤ電球やハロゲン電球等、電力を用いて照明を行う交換可能な電球である。また、電球１２は、照明通信部１４、照明制御部１５、点灯検知部１６および光源部１６を有する。
【００４２】
照明通信部１４は、照明装置１０と、制御装置３０及びリモコン４０との間の通信を制御する通信装置である。例えば、照明通信部１４は、無線ＬＡＮ等の無線通信や赤外線通信等を介して、制御装置３０やリモコン４０から制御信号を受信する。
【００４３】
照明制御部１５は、受信された制御信号に従って、電球１２を制御する。例えば、照明制御部１５は、電球１２を点灯させる旨の制御信号を受信した場合は、給電部１３から供給された電力を光源部１７に供給する等して、電球１２を点灯させる。また、照明制御部１５は、制御信号に従って、電球１２の照度や光の色彩を制御してもよい。
【００４４】
点灯検知部１６は、電球１２が点灯若しくは消灯された旨を検知する検知装置である。また、点灯検知部１６は、電球１２が点灯若しくは消灯された旨を検知した場合は、無線通信を介して、検知結果を制御装置３０へと送信する。光源部１７は、ＬＥＤやハロゲン電球等の光源である。例えば、光源部１７は、照明制御部１５からの制御に従って、照明の点灯、消灯、照度の変更、色彩の変更等を実現する。
【００４５】
次に、制御装置３０が有する機能構成の一例について説明する。図４は、第１の実施形態に係る制御装置が有する機能構成の一例について説明するブロック図である。図４に示す例では、制御装置３０は、通信部３１および制御部３２を有する。また、制御部３２は、操作部３３、通知部３４を有する。
【００４６】
通信部３１は、例えば、ＮＩＣ（Network  Interface  Card）等の通信装置により実現され、無線通信を介して、制御装置３０と照明装置１０との間の通信を制御する。また、通信部３１は、有線通信又は無線通信を介して、ゲートウェイ装置５０との間の通信を制御する。操作部３３は、照明装置１０の点灯や消灯等を操作する。例えば、操作部３３は、ゲートウェイ装置５０を介して、制御信号を受信すると、受信した制御信号が示す制御内容を実現するための制御信号を生成し、生成した制御信号を照明装置１０に送信する。
【００４７】
通知部３４は、照明装置１０から検知結果を取得すると、ゲートウェイ装置５０およびネットワークＮを介して、受信した検知結果をセンタサーバ６０へと送信する。より具体的には、通知部３４は、照明装置１０から検知結果を取得すると、リビング、トイレ、廊下等、照明装置１０が設置されている位置や領域、若しくは照明装置１０の名称等、操作対象となる照明機器１０を特定するための情報を操作対象情報として特定する。そして、通信部３４は、検知結果に特定した操作対象情報を付与してセンタサーバ６０へ送信する。
【００４８】
次に、センタサーバ６０が有する機能構成の一例について説明する。図５は、第１の実施形態に係るセンタサーバが有する機能構成の一例について説明するブロック図である。図５に示す例では、センタサーバ６０は、センタ通信部６１、記憶部６２、センタ制御部６４を有する。
【００４９】
センタ通信部６１は、センタサーバ６０がネットワークＮを介して制御装置３０や端末装置７０と通信するための通信インターフェースである。また、記憶部６２は、例えば、ＲＡＭ（Random  Access  Memory)、フラッシュメモリ（Flash  Memory）等の半導体メモリ素子等の記憶装置によって実現される。
【００５０】
記憶部６２には、制御装置３０から受信した検知結果に基づく安否情報が登録された安否情報データベース６３が格納されている。例えば、図６は、第１の実施形態に係る安否情報データベースに登録される情報の一例を示す図である。図６に示す例では、安否情報データベース６３には、安否情報として、ＩＰ（Internet  Protocol）アドレス、日時情報、操作対象、操作内容等の情報が対応付けて登録される。
【００５１】
ここで、ＩＰアドレスは、安否情報に含まれる検知結果の送信元となった制御装置３０のＩＰアドレスである。日時情報は、操作が行われた日時を示す情報である。また、操作対象とは、操作対象となる照明機器１０を特定するための操作対象情報であり、例えば、点灯検知部１６等の検知装置が操作を検知した照明装置１０が設置された位置や領域、若しくは照明装置１０の名称等である。また、操作内容とは、検知装置が検知した操作内容を示す情報である。
【００５２】
例えば、図６に示す例では、安否情報データベース６３には、ＩＰアドレス「ｘｘｘ．ｘｘｘ．ｘｘｘ．ｘｘｘ」が示す制御装置３０が設置された宅内ネットワーク２において、「２０１４／０５／１２  １９：０２」に、「１Ｆトイレ」に設置された照明装置１０を「ＯＮ」にする制御が行われた旨の安否情報が格納され、「２０１４／０５／１２  １９：０５」に、「１Ｆトイレ」に設置された照明装置１０を「ＯＦＦ」にする制御が行われた旨の安否情報が格納されている。また、安否情報データベース６３には、ＩＰアドレス「ｘｘｘ．ｘｘｘ．ｘｘｘ．ｘｘｘ」が示す制御装置３０が設置された宅内ネットワーク２において、「２０１４／０５／１３  ０８：１２」に、リビングに設置された「リビングライト」を「ＯＮ」にする制御が行われた旨の安否情報が格納されている。なお、安否情報データベース６３には、図７に示す安否情報以外にも、異なるＩＰアドレスが対応付けられた安否情報、すなわち、宅内ネットワーク２以外のネットワークから受信した検知結果が含まれていてもよい。
【００５３】
図５に戻り、説明を続ける。センタ制御部６４は、例えば、ＡＳＩＣ（Application  Specific  Integrated  Circuit）やＦＰＧＡ（Field  Programmable  Gate  Array）等の集積回路により実現される。また、センタ制御部６４は、例えば、ＣＰＵ（Central  Processing  Unit）やＭＰＵ（Micro  Processing  Unit）等によって、センタサーバ６０内部の記憶装置に記憶されているプログラムがＲＡＭを作業領域として実行されることにより実現される。センタ制御部６４は、日時情報付与部６５、安否情報生成部６６、および安否情報配信部６７を有する。
【００５４】
日時情報付与部６５は、照明装置１０を操作した日時を示す日時情報を検知結果に付与する。例えば、日時情報付与部６５は、検知結果を受信すると、検知結果を受信した日時を特定し、特定した日時情報と検知結果とを対応付けて安否情報生成部６６に出力する。
【００５５】
安否情報生成部６６は、検知結果と日時情報とを受付けると、受付けた検知結果と日時情報とに基づいて、安否情報を生成する。より具体的には、安否情報生成部６６は、検知結果と、検知結果を受信した日時を示す日時情報とを対応付けて安否情報データベース６３に記憶させる。
【００５６】
例えば、安否情報生成部６６は、検知結果の送信元となる制御装置３０のＩＰアドレスと、検知結果に含まれるＩＰアドレスおよび操作対象情報とを特定する。また、安否情報生成部６６は、日時情報付与部６５が付与した日時情報を特定する。そして、安否情報生成部６６は、特定したＩＰアドレス、操作対象情報、操作内容、および日時情報を対応付けた安否情報を生成し、生成した安否情報を安否情報データベース６３に登録する。
【００５７】
安否情報配信部６７は、検知結果に基づいて、照明装置１０が制御された日時を示す日時情報の出力を行う。より具体的には、安否情報配信部６７は、端末装置７０からの要求に応じて、安否情報を配置したウェブページを生成し、生成したウェブページを端末装置７０に配信する。
【００５８】
例えば、安否情報配信部６７は、端末装置７０から安否情報の配信要求を受付けると、ログインＩＤ（Identifier）やパスワード等を用いた認証を行い、認証に成功した場合は、ログインＩＤと予め対応付けられた制御装置３０のＩＰアドレスを特定する。また、安否情報配信部６７は、特定したＩＰアドレスを含む安否情報を安否情報データベース６３から特定する。
【００５９】
また、安否情報配信部６７は、例えば、日時情報が示す日時が新しい順に１０個の安否情報等、端末装置７０を介して利用者が選択した日時を示す日時情報を含む安否情報を特定した安否情報から抽出する。そして、安否情報配信部６７は、抽出した安否情報を配置したウェブページを生成する。例えば、安否情報配信部６７は、日時情報を操作が行われた日時とし、操作対象を操作が行われた照明装置１０とし、操作内容を照明装置１０に対して行われた操作として、抽出した安否情報を配置したウェブページを生成する。そして、安否情報配信部６７は、生成したウェブページを端末装置７０に配信する。
【００６０】
上述した処理の結果、安否情報が配置されたウェブページを表示する。このため、端末装置７０の利用者は、安否確認システム１の契約者専用のウェブページを介して、操作が行われた照明装置１０の位置や操作内容、操作が行われた日時等を確認することができ、モニタ対象が在宅しているか、いつも通りの生活を行っているか等といった安否を確認することができる。
【００６１】
なお、制御装置３０やセンタサーバ６０が実行する処理は、ＣＰＵとＲＡＭ（Random  Access  Memory）、ＥＥＰＲＯＭ、フラッシュメモリなどを有するコンピュータが、所定の記録媒体に登録された制御プログラムを読み取り、読み取った制御プログラムを実行することにより、実現されてもよい。
【００６２】
（第１の実施形態に係る検出処理）
次に、図７を用いて、安否確認システム１が照明装置１０の操作を検出する検出処理の流れの一例について説明する。図７は、第１の実施形態に係る安否確認システムにおける検出処理の一例を示すフローチャートである。例えば、安否確認システム１では、電球１２が操作を検知したか否かを判定し（ステップＳ１０１）、検知しなかった場合は（ステップＳ１０１：Ｎｏ）、検知するまで待機する。そして、安否確認システム１では、照明装置１０が操作を検知した場合は（ステップＳ１０１：Ｙｅｓ）、制御装置３０が取得した検知結果をセンタサーバ６０に送信する（ステップＳ１０２）。このような場合、センタサーバ６０は、検知結果に日時情報を付加して記憶し（ステップＳ１０３）、再度、ステップＳ１０１から処理を実行する。
【００６３】
（第１の実施形態に係る配信処理）
次に、図８を用いて、安否確認システム１が安否情報を配信する配信処理の流れの一例について説明する。図８は、第１の実施形態に係る安否確認システムにおける配信処理の一例を示すフローチャートである。例えば、センタサーバ６０は、安否情報が要求されたか否かを判定し（ステップＳ２０１）、安否情報が要求されていない場合には（ステップＳ２０１：Ｎｏ）、要求されるまで待機する。また、センタサーバ６０は、安否情報が要求された場合は（ステップＳ２０１：Ｙｅｓ）、安否情報を配置したウェブページを生成し（ステップＳ２０２）、生成したウェブページを端末装置７０に配信する（ステップＳ２０３）。その後、安否確認システム１は、ステップＳ２０１から再度処理を実行する。
【００６４】
［第２の実施形態］
上述した第１の実施形態では、検知装置としての点灯検知部１６は、照明装置１０が有する電球１２に設置されていた。しかしながら、実施形態は、これに限定されるものではない。例えば、検知装置は、照明装置１０の筐体側である本体部１１に設置されていてもよい。
【００６５】
以下、検知装置を本体部１１に配置した照明装置１０の一例について説明する。なお、以下に説明する第２の実施形態において、第１の実施形態と同一の機能構成には、第１の実施形態と同一符号を付して詳細な説明を省略する。
【００６６】
例えば、図９は、第２の実施形態に係る照明装置が有する機能構成の一例について説明するブロック図である。図９に示す例では、照明装置１０は、給電部１３、照明通信部１４、照明制御部１５、点灯検知部１６を有する本体部１１と、光源部１７を有する電球１２とを有する。
【００６７】
図９に示す構成を有する場合、本体部１１に設置された点灯検知部１６は、電球１２が有する光源部１７が点灯したか否かを検知しする。例えば、点灯検知部１６は、照明通信部１４の通信内容に基づいて光源部１７が点灯したか否か検知してもよく、照明制御部１５による制御に基づいて、光源部１７が点灯したか否か検知してもよい。また、例えば、点灯検知部１６は、光源部１７に供給される電力に基づいて、光源部１７が点灯したか否かを判定してもよい。
【００６８】
また、点灯検知部１６は、光源部１７の点灯や消灯を検出した場合は、無線通信を介して、検知結果を制御装置３０に送信する。このような場合、制御装置３０は、照明装置１０から受信した検知結果をセンタサーバ６０に送信する。そして、センタサーバ６０は、照明装置３０から受信した検知結果に基づく安否情報の配信を行うこととなる。
【００６９】
なお、照明装置１０には、複数の電球１２が設置される場合がある。このように、複数の電球１２が設置されている場合、点灯検知部１６は、照明装置１０単位で点灯や消灯を検知してもよく、電球１２単位で点灯や消灯を検知してもよい。例えば、点灯検知部１６は、照明装置１０に設置された複数の電球１２のうちいずれかの電球１２が点灯された場合は、点灯した電球１２を示す情報とともに検出結果を制御装置３０に出力してもよく、単に、照明装置１０が点灯した旨の検出結果を制御装置３０に出力してもよい。
【００７０】
このように、点灯検知部１６を照明装置１０に設置した場合にも、安否確認システム１は、宅内に設置された照明装置１０を交換するだけで、安否確認処理を実現することができる。このため、安否確認システム１は、設置コスト等を軽減することができる。
【００７１】
［第３の実施形態］
上述した第１の実施形態では、検知装置としての点灯検知部１６は、照明装置１０が有する電球１２に設置されていた。また、上述した第２の実施形態では、点灯検知部１６は、照明装置１０の本体部１１に設置されていた。しかしながら、実施形態は、これに限定されるものではない。例えば、検知装置は、スイッチ２０等、照明装置１０に対する操作を受付けるための装置に設置されていてもよい。
【００７２】
以下、検知装置を設置したスイッチ２０の一例について説明する。例えば、図１０は、第３の実施形態に係るスイッチが有する機能構成の一例について説明するブロック図である。図１０に示す例では、スイッチ２０は、操作部２１、操作通信部２２、操作検知部２３を有する。
【００７３】
操作部２１は、利用者からの操作を受付ける装置であり、例えば、ボタンやリレースイッチ等により実現される。操作通信部２２は、照明装置１０や制御装置３０との間の通信を制御する通信装置である。例えば、操作通信部２２は、利用者から照明装置１０を点灯若しくは消灯させる操作を受付けると、照明装置１０を点灯若しくは消灯させる制御信号を照明装置１０に送信する。
【００７４】
操作検知部２３は、照明装置１０が点灯若しくは消灯した旨を検知する検知装置である。例えば、操作検知部２３は、利用者が操作部２１を操作した場合や、操作通信部２２が照明装置１０を点灯若しくは消灯させる制御信号を送信した場合等には、無線ＬＡＮ等の無線通信を介して、照明装置１０が点灯若しくは消灯した旨の検知結果を、制御装置３０に送信する。
【００７５】
このように、スイッチ２０から検知結果を受信すると、制御装置３０は、スイッチ２０によって操作される照明装置１０が設置された位置や領域を特定し、検知結果と特定した位置とをセンタサーバ６０へ送信する。例えば、制御装置３０は、スイッチ２０とスイッチ２０が操作を受付ける照明装置１０が設置された位置や領域とを対応付けて記憶する。そして、制御装置３０は、スイッチ２０から検知結果を受信すると、スイッチ２０が操作を受付ける照明装置１０が設置された位置や領域を特定し、受信した検知結果と、特定した位置や領域とを対応付けてセンタサーバ６０へと送信する。かかる場合、センタサーバ６０は、受信した検知結果に基づいて、安否情報を生成し、生成した安否情報の配信を行う。
【００７６】
なお、図２に示すように、宅内ネットワーク２に複数のスイッチ２０ａ、２０ｂが設置されている場合、各スイッチ２０ａ、２０ｂは、それぞれ個別に検知結果を制御装置３０へと送信する。かかる場合、制御装置３０は、検知結果の送信元となるスイッチ（例えば、スイッチ２０ａ）によって操作される照明装置１０が設置された位置や領域を特定し、受信した検知結果と、特定した位置や領域とを対応付けてセンタサーバ６０へと送信する。
【００７７】
［他の実施形態］
以下、他の実施形態の照明装置について図面を参照して説明する。なお、以下に説明する他の実施形態において、第１の実施形態から第３の実施形態と同一の装置には、第１の実施形態と同一符号を付して説明を省略する。
【００７８】
（照明装置の操作を検知する検知装置の設置について）
上述した例では、検知装置は、電球１２やスイッチ２０等に設置されていたが、実施形態は、これに限定されるものではない。すなわち、検知装置は、照明装置１０に対する操作を検知することができるものであれば、任意の装置に設置されてよい。例えば、検知装置は、照明装置１０に対する操作を受付ける装置であるリモコン４０や、人の存在検知する人感センサや温度を検知する温度センサ等の各種センサに設置されてもよい。
【００７９】
例えば、センサは、人の存在や所定の温度を感知した場合は、照明装置１０に点灯や消灯を指示する制御信号を送信する。一方、センサに設置された検知装置は、センサが制御信号を送信した旨を検知した場合は、無線通信を介して、検知結果を制御装置３０に送信してもよい。このように、センサが所定の状態を検知した旨の検知結果は、モニタ対象の動きや宅内の状態等を示す安否情報として利用することができる。
【００８０】
（安否情報の配信について）
また、センタサーバ６０は、任意の態様で安否情報の配信を行ってもよい。例えば、センタサーバ６０は、受信した検知結果と日時情報とから安否情報を生成し、生成した安否情報を、検知結果の送信元となる制御装置３０と予め対応付けられた端末装置７０に対して、ウェブページやメール形式で自動的に送信してもよい。
【００８１】
また、上述した例では、安否確認システム１は、センタサーバ６０から安否情報を端末装置７０に配信した。しかしながら、実施形態は、これに限定されるものではない。例えば、安否確認システム１は、照明装置１０やスイッチ２０の検知結果を直接端末装置７０に送信してもよく、制御装置３０からの検知結果を端末装置７０に送信してもよい。また、制御装置３０は、センタサーバ６０と同様に、検知結果を取得すると、検知結果を取得した日時を示す日時情報を生成し、取得した検知結果と生成した日時情報とを対応付けて、センタサーバ６０や端末装置７０に配信してもよい。
【００８２】
（操作を検知する単位について）
なお、安否確認システム１は、照明装置１０に対する操作を任意の単位で検知してよい。例えば、照明装置１０の本体部１１に設置された検知装置は、複数の電球１２が照明装置１０に設置されている場合、電球１２ごとの操作を検知してもよく、照明装置１０全体での操作を検知してもよい。
【００８３】
また、制御装置３０やセンタサーバ６０は、照明装置１０に検知装置を有する複数の電球１２が設置されている場合、各検知装置からの検知結果に基づいて、照明装置１０毎の操作を特定してもよい。かかる場合、センタサーバ６０は、照明装置１０ごとに操作が行われた日時や操作内容を含む安否情報を配信してもよい。
【００８４】
なお、安否確認システム１は、電球１２ごとや照明装置１０ごとだけではなく、１台若しくは複数の照明装置１０が設置される領域ごとに、その領域に設置された照明機器１０に対する操作を特定し、特定した操作が行われた日時を示す安否情報を配信してもよい。例えば、安否確認システム１は、部屋ごと、フロアごと、あるいは宅内ごとに、照明装置１０に対する操作を特定し、操作が行われた日時や内容を示す安否情報を配信してもよい。例えば、制御装置３０やセンタサーバ６０は、各照明装置１０ａ〜１０ｃが設置された位置を予め記憶し、検知装置の検知結果に基づいて、部屋ごと、フロアごと、若しくは住宅ごとに照明装置１０が点灯したか消灯したかを特定する。そして、センタサーバ６０は、部屋ごと、フロアごと、若しくは住宅ごとに、照明装置１０が点灯した時間や消灯した時間を示す安否情報を配信してもよい。
【００８５】
なお、安否確認の対象となるモニタ対象は、端末装置７０を利用する利用者と同一人物であってもよく、異なる人物であってもよい。
【００８６】
（通信について）
上述した説明では、点灯検知部１６や操作検知部２３等の検知装置は、無線通信を介して、検出結果を制御装置３０に送信した。しかしながら、実施形態は、これに限定されるものではない。例えば、検知装置は、有線通信を介して、検知結果を制御装置３０に送信してもよく、センタサーバ６０に直接送信してもよい。
【００８７】
（生活習慣の把握について）
ここで、安否確認システム１は、検知結果に基づいて、モニタ対象の生活習慣の把握を行ってもよい。例えば、センタサーバ６０は、安否情報を解析し、寝室に設置された照明装置１０を消灯させる操作から点灯させる操作までの時間から、モニタ対象の周信時刻や睡眠時間を推定してもよい。また、センササーバ６０は、推定した睡眠時間の累計に基づいて、モニタ対象の平均睡眠時間を算出してもよく、曜日ごとの睡眠時間を算出してもよい。
【００８８】
また、センタサーバ６０は、寝室に設置された照明装置１０を点灯させる操作や消灯させる操作により、夜間にモニタ対象の目が覚めた回数を推定してもよい。安否確認システム１は、このようにして推定された就寝時刻、睡眠時間、目が覚めた回数等に基づいて、モニタ対象に対し、健康アドバイス等のサービスを提供することができる。
【００８９】
また、センタサーバ６０は、浴室に設置された照明装置１０を点灯させる操作や消灯させる操作により、モニタ対象の入浴時間を推定してもよい。また、センタサーバ６０は、推定した入浴時間に基づいて、モニタ対象が浴室で寝ている若しくは倒れている等といったモニタ対象の状態を推定してもよい。すなわち、センタサーバ６０は、操作対象となる照明機器１０の種別や設置位置、および操作が行われた日時に基づいて、モニタ対象の状態を推定してもよい。また、センタサーバ６０は、推定したモニタ対象の状態を所定の利用者や端末装置７０等に報知してもよい。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９１】
１  安否確認システム
１０、１０ａ〜１０ｃ  照明装置
１１  本体部
１２  電球
１３  給電部
１４  照明通信部
１５  照明制御部
１６  点灯検知部
１７  光源部
２０、２０ａ、２０ｂ  スイッチ
２１  操作部
２２  操作通信部
２３  操作検知部
３０  制御装置
３１  通信部
３２  制御部
３３  操作部
３４  通知部
４０  リモコン
５０  ゲートウェイ装置
６０  センタサーバ
６１  センタ通信部
６２  記憶部
６３  安否情報データベース
６４  センタ制御部
６５  日時情報付与部
６６  安否情報生成部
６７  安否情報配信部
７０  端末装置
【図１】
2017021754.tif 000003
【図２】
2017021754.tif 000004
【図３】
2017021754.tif 000005
【図４】
2017021754.tif 000006
【図５】
2017021754.tif 000007
【図６】
2017021754.tif 000008
【図７】
2017021754.tif 000009
【図８】
2017021754.tif 000010
【図９】
2017021754.tif 000011
【図１０】
2017021754.tif 000012